(57)【要約】【課題】  温熱と冷熱とを供給し得る新たなヒートポンプを提供する。【解決手段】  ヒートポンプは、圧縮手段と凝縮手段と第１膨張手段と空気熱交換手段と第２膨張手段と蒸発手段とを備える。凝縮手段は、圧縮手段によって圧縮された冷媒と、加熱装置に供給される温熱用熱媒との間で熱交換を行う。第１膨張手段は、凝縮手段を通過した冷媒を減圧する有効状態と、当該冷媒を実質的に減圧しない無効状態とを選択的に実現し得る。空気熱交換手段は、第１膨張手段を通過した冷媒と、空気との間で熱交換を行う。第２膨張手段は、空気熱交換手段を通過した冷媒を減圧する有効状態と、当該冷媒を実質的に減圧しない無効状態とを選択的に実現し得る。そして、蒸発手段は、第２膨張手段を通過した冷媒と、冷却装置に供給される冷熱用熱媒との間で熱交換を行う。【選択図】  図１
2015152183.tif 000002
【特許請求の範囲】
【請求項１】
冷媒を圧縮する圧縮手段と、
前記圧縮手段の下流側に位置し、前記圧縮手段によって圧縮された冷媒と加熱装置に供給される温熱用熱媒との間で熱交換を行う凝縮手段と、
前記凝縮手段の下流側に位置し、前記凝縮手段を通過した冷媒を減圧する有効状態と実質的に減圧しない無効状態とを選択的に実現し得る第１膨張手段と、
前記第１膨張手段の下流側に位置し、前記第１膨張手段を通過した冷媒と空気との間で熱交換を行う空気熱交換手段と、
前記空気熱交換手段の下流側に位置し、前記空気熱交換手段を通過した冷媒を減圧する有効状態と実質的に減圧しない無効状態とを選択的に実現し得る第２膨張手段と、
前記第２膨張手段の下流側かつ前記圧縮手段の上流側に位置し、前記第２膨張手段を通過した冷媒と冷却装置に供給される冷熱用熱媒との間で熱交換を行う蒸発手段と、
を備えるヒートポンプ。
【請求項２】
前記第１及び第２膨張手段のそれぞれは、膨張弁と、その膨張弁に並列に接続されたバイパス経路と、そのバイパス経路を開閉するバイパス弁とを有する、請求項１に記載のヒートポンプ。
【請求項３】
前記凝縮手段は、少なくとも、第１熱交換手段と第２熱交換手段とを含み、
前記第１熱交換手段は、給湯装置に供給される第１温熱用熱媒と前記冷媒との間で熱交換を行い、
前記第２熱交換手段は、暖房装置に供給される第２温熱用熱媒と前記冷媒との間で熱交換を行う、請求項１又は２に記載のヒートポンプ。
【請求項４】
前記第１及び第２膨張手段の動作を制御するコントローラをさらに備え、そのコントローラは、
前記凝縮手段で必要とされる冷媒の放熱量に対して、前記蒸発手段で必要とされる冷媒の吸熱量が過大であるときは、前記第１膨張手段を無効状態とするとともに前記第２膨張手段を有効状態とし、
前記凝縮手段で必要とされる冷媒の放熱量に対して、前記蒸発手段で必要とされる冷媒の吸熱量が過小であるときは、前記第１膨張手段を有効状態とするとともに前記第２膨張手段を無効状態とする、
請求項１から３のいずれか一項に記載のヒートポンプ。
【発明の詳細な説明】
【技術分野】
【０００１】
ここで開示する技術は、ヒートポンプに関し、特に、温熱と冷熱とを供給し得るヒートポンプに関する。
【背景技術】
【０００２】
特許文献１に、ヒートポンプが記載されている。このヒートポンプは、給湯装置に温熱を供給し、かつ、空調装置に冷熱を供給することができる。ここで、給湯装置は加熱装置の一例であり、空調装置は冷却装置の一例である。
【先行技術文献】
【特許文献】
【０００３】
【特許文献１】特開２００４−２００８５号公報
【発明の概要】
【発明が解決しようとする課題】
【０００４】
特許文献１に記載されたヒートポンプは、二つの空気熱交換器を備えており、給湯装置及び空調装置の運転状況に応じて、二つの空気熱交換器を使い分けている。このような構成によると、二つの空気熱交換器を必要とすることから、例えばヒートポンプの大型化が問題となる。なお、特許文献１には、単一の空気熱交換器を備えるヒートポンプも記載されているが、当該ヒートポンプでは、給湯装置に温熱を供給せずに、空調装置に冷熱のみを供給するといった運転を行うことができない。
【０００５】
本明細書は、上記の問題を解決又は少なくとも低減するために、温熱と冷熱とを供給し得る新たなヒートポンプを提供する。
【課題を解決するための手段】
【０００６】
本技術の一側面により、ヒートポンプが開示される。ヒートポンプは、冷媒を圧縮する圧縮手段と、圧縮手段の下流側に位置する凝縮手段と、凝縮手段の下流側に位置する第１膨張手段と、第１膨張手段の下流側に位置する空気熱交換手段と、空気熱交換手段の下流側に位置する第２膨張手段と、第２膨張手段の下流側であって圧縮手段の上流側に位置する蒸発手段とを備える。凝縮手段は、圧縮手段によって圧縮された冷媒と、加熱装置に供給される温熱用熱媒との間で熱交換を行う。第１膨張手段は、凝縮手段を通過した冷媒を減圧する有効状態と、当該冷媒を実質的に減圧しない無効状態とを選択的に実現し得る。空気熱交換手段は、第１膨張手段を通過した冷媒と、空気との間で熱交換を行う。第２膨張手段は、空気熱交換手段を通過した冷媒を減圧する有効状態と、当該冷媒を実質的に減圧しない無効状態とを選択的に実現し得る。そして、蒸発手段は、第２膨張手段を通過した冷媒と、冷却装置に供給される冷熱用熱媒との間で熱交換を行う。
【０００７】
上記したヒートポンプでは、空気熱交換手段の両側に、第１膨張手段と第２膨張手段とがそれぞれ配置されている。このような構成によると、第１及び第２膨張手段の一方を選択的に無効状態とすることで、空気熱交換手段を、冷凍サイクルにおける凝縮器としても蒸発器としても機能させることができる。従って、複数の空気熱交換手段を必ずしも必要とすることなく、温熱と冷熱との同時供給、温熱のみの単独供給、及び冷熱のみの単独供給を、自由に実施することができる。
【図面の簡単な説明】
【０００８】
【図１】実施例の熱供給システムの構成を模式的に示す図。
【図２】上記システムによる運転態様を示す表。
【図３】温熱のみの単独供給時における冷媒及び熱媒の流れを示す図。なお、実線で示された経路は、冷媒又は熱媒が流れていることを示し、破線で示された経路は、冷媒又は熱媒が実質的に流れていないことを示す（図４から図６も同様）。
【図４】冷熱のみの単独供給時における冷媒の流れを示す図。
【図５】温熱と冷熱との同時供給時における冷媒の流れであって、空気熱交換装置が凝縮器として機能するときの様子を示す図。
【図６】温熱と冷熱との同時供給時における冷媒の流れであって、空気熱交換装置が蒸発器として機能するときの様子を示す図。
【図７】他の実施例の熱供給システムの構成を模式的に示す図。
【発明を実施するための形態】
【０００９】
本技術の一実施形態において、第１及び第２膨張手段のそれぞれは、膨張弁と、その膨張弁に並列に接続されたバイパス経路と、そのバイパス経路を開閉するバイパス弁とを有することが好ましい。この構成によると、バイパス経路を開閉することによって、第１及び第２膨張手段のそれぞれを、有効状態と無効状態との間で切り替えることができる。但し、各々の膨張手段の構成は上記に限定されない。例えば、各々の膨張手段は、その開度が可変の膨張弁を用いて構成することもできる。
【００１０】
本技術の一実施形態において、凝縮手段は、少なくとも、第１熱交換手段と第２熱交換手段とを含むことが好ましい。この場合、第１熱交換手段は、給湯装置に供給される第１温熱用熱媒と冷媒との間で熱交換を行い、第２熱交換手段は、暖房装置に供給される第２温熱用熱媒と冷媒との間で熱交換を行うことが好ましい。ここで、第１及び第２熱交換手段は、単一の熱交換器（例えば三系統を有する熱交換器）で構成されてもよいし、二以上の熱交換器の組み合わせで構成されてもよい。
【００１１】
本技術の一実施形態において、ヒートポンプは、第１及び第２膨張手段の動作を制御するコントローラをさらに備えてもよい。この場合、コントローラは、凝縮手段で必要とされる冷媒の放熱量に対して、蒸発手段で必要とされる冷媒の吸熱量が過大となるときは、第１膨張手段を無効状態とするとともに、第２膨張手段を有効状態とすることが好ましい。それにより、空気熱交換手段を凝縮器（放熱器）として機能させることができ、凝縮手段において凝縮熱として放熱し切れない過剰な冷媒の熱を、空気熱交換手段において凝縮熱として外部へ放出することができる。それに対して、凝縮手段で必要とされる冷媒の放熱量に対して、蒸発手段で必要とされる冷媒の吸熱量が過小となるときは、第１膨張手段を有効状態とするとともに、第２膨張手段を無効状態とすることが好ましい。それにより、空気熱交換手段を蒸発器（吸熱器）として機能させることができ、蒸発手段において蒸発熱として吸熱し切れずに不足する冷媒の熱を、空気熱交換手段において蒸発熱として外部から吸収することができる。
【実施例】
【００１２】
図面を参照して、実施例の熱供給システム１０（以下、システムとする）について説明する。図１に示すように、システム１０は、貯湯式の給湯装置１２と、暖房装置１４と、冷房装置１６と、ヒートポンプ２０とを備えている。ヒートポンプ２０は、給湯装置１２及び暖房装置１４に温熱を供給するとともに、冷房装置１６に冷熱を供給する熱源である。ここで、給湯装置１２及び暖房装置１４は、加熱装置の一例であり、冷房装置１６は、冷却装置の一例である。給湯装置１２、暖房装置１４及び冷房装置１６の具体的な構成は、特に限定されない。システム１０は、その他の加熱装置及び冷却装置をさらに含んでもよい。
【００１３】
本明細書における加熱装置とは、ヒートポンプ２０との間で温熱用熱媒を循環させ、ヒートポンプ２０で加熱された温熱用熱媒を利用する装置を広く意味する。加熱装置としては、例えば、給湯装置、各種の暖房装置（床暖房、パネルヒータ、ファンコンベクタ等）、及び浴槽の風呂水を加熱する風呂装置が挙げられる。一方、本明細書における冷却装置とは、ヒートポンプ２０との間で冷熱用熱媒を循環させ、ヒートポンプ２０で冷却された冷熱用熱媒を利用する装置を広く意味し、例えば、各種の冷房装置、冷蔵庫、製氷機、及び発熱する装置（例えば太陽光発電パネルやエンジン式発電機）を冷却する装置等が挙げられる。なお、暖房機能及び冷房機能を有する空調装置は、加熱装置に該当するとともに冷却装置にも該当する。
【００１４】
ヒートポンプ２０は、圧縮装置２２と、凝縮装置２４と、第１膨張装置２６と、空気熱交換装置２８と、第２膨張装置３０と、蒸発装置３２と、制御装置１８と、リモコン１９とを備える。圧縮装置２２と凝縮装置２４は、第１冷媒経路４２を介して互いに接続されている。凝縮装置２４と空気熱交換装置２８は、第２冷媒経路４４を介して互いに接続されており、空気熱交換装置２８と蒸発装置３２は、第３冷媒経路４６を介して互いに接続されており、蒸発装置３２と圧縮装置２２は、第４冷媒経路４８を介して互いに接続されている。そして、第１膨張装置２６は、第２冷媒経路４４上に設けられており、第２膨張装置３０は、第３冷媒経路４６上に設けられている。
【００１５】
圧縮装置２２は、冷媒を圧縮する圧縮手段の一例である。圧縮装置２２の具体的な構成は、特に限定されない。圧縮装置２２において、冷媒は実質的に断熱圧縮され、高温高圧の気体となる。なお、冷媒は、特に限定されないが、例えば二酸化炭素や各種の代替フロンガスを採用することができる。圧縮装置２２によって圧縮された冷媒は、第１冷媒経路４２を通って凝縮装置２４に送られる。
【００１６】
凝縮装置２４は、圧縮装置２２の下流側に位置している。なお、本明細書における上流及び下流とは、冷媒の流れを基準とする表現である。凝縮装置２４は、圧縮装置２２によって圧縮された冷媒と、給湯装置１２又は暖房装置１４に供給される温熱用熱媒との間で熱交換を行う凝縮手段の一例である。凝縮装置２４において、冷媒は放熱して凝縮する。凝縮装置２４には、第１温熱用循環経路１２ａと第２温熱用循環経路１４ａとが接続されている。第１温熱用循環経路１２ａは、凝縮装置２４と給湯装置１２との間で第１温熱用熱媒（例えば温水）を循環させる。第２温熱用循環経路１４ａは、凝縮装置２４と暖房装置１４との間で第２温熱用熱媒（例えば不凍液）を循環させる。第１温熱用循環経路１２ａには、第１温熱用循環ポンプ１２ｂが設けられており、第２温熱用循環経路１４ａには、第２温熱用循環ポンプ１４ｂが設けられている。第１及び第２温熱用循環ポンプ１２ｂ、１４ｂは、制御装置１８に電気的に接続されており、その動作は制御装置１８によってそれぞれ制御される。凝縮装置２４を通過した冷媒は、第２冷媒経路４４を通って第１膨張装置２６に送られる。
【００１７】
ここで、本実施例の凝縮装置２４は、三液熱交換器を用いて構成されており、単一の熱交換器によって、第１温熱用熱媒と冷媒との間で熱交換を行う第１熱交換手段と、第２温熱用熱媒と冷媒との間で熱交換を行う第２熱交換手段とが実現されている。但し、凝縮装置２４は、複数の熱交換器を用いて構成することができる。例えば、図７に示すように、凝縮装置２４は、第１温熱用熱媒と冷媒との間で熱交換を行う第１熱交換器２４ａと、第２温熱用熱媒と冷媒との間で熱交換を行う第２熱交換器２４ｂとを備えてもよい。なお、第１熱交換器２４ａと第２熱交換器２４ｂは、冷媒の流れに対する上流／下流の位置関係を入れ替えてもよいし、互いに並列に接続されてもよい。
【００１８】
第１膨張装置２６は、凝縮装置２４の下流側に位置する。第１膨張装置２６は、凝縮装置２４を通過した冷媒を減圧する有効状態と、実質的に減圧しない無効状態とを選択的に実現し得る第１膨張手段の一例である。本実施例の第１膨張装置２６は、第１膨張弁２６ａと、第１膨張弁２６ａに並列に接続された第１バイパス経路２６ｂと、その第１バイパス経路２６ｂを開閉する第１バイパス弁２６ｃとを有する。これにより、第１バイパス弁２６ｃが閉鎖されると、冷媒が第１膨張弁２６ａを通過することになり、第１膨張装置２６は、冷媒を減圧する有効状態となる。一方、第１バイパス弁２６ｃが開放されると、冷媒は主に第１バイパス経路２６ｂを通過することになり、第１膨張装置２６は、冷媒を減圧しない無効状態となる。第１バイパス弁２６ｃは、例えば電磁開閉弁である。第１膨張弁２６ａ及び第１バイパス弁２６ｃは、制御装置１８に電気的に接続されており、第１膨張弁２６ａの開度及び第１バイパス弁２６ｃの開閉は制御装置１８によって制御される。第１膨張装置２６を通過した冷媒は、第２冷媒経路４４を通って空気熱交換装置２８に送られる。
【００１９】
空気熱交換装置２８は、第１膨張装置２６を通過した冷媒と空気との間で熱交換を行う空気熱交換手段の一例である。本実施例の空気熱交換装置２８は、冷媒が通過するプレートフィンコイル２８ａと、プレートフィンコイル２８ａに送風するための送風機２８ｂを備える。送風機２８ｂは、制御装置１８に電気的に接続されており、その動作は制御装置１８によって制御される。詳しくは後述するが、本実施例の空気熱交換装置２８は、冷媒から大気へ熱を放出する放熱器（冷凍サイクルにおける凝縮器）としても、大気から冷媒へ熱を吸収する吸熱器（冷凍サイクルにおける蒸発器）としても、選択的に機能することができる。空気熱交換装置２８を通過した通過した冷媒は、第３冷媒経路４６を通って第２膨張装置３０に送られる。
【００２０】
第２膨張装置３０は、空気熱交換装置２８の下流側に位置する。第２膨張装置３０は、空気熱交換装置２８を通過した冷媒を減圧する有効状態と、実質的に減圧しない無効状態とを選択的に実現し得る第２膨張手段の一例である。本実施例の第２膨張装置３０は、第２膨張弁３０ａと、第２膨張弁３０ａに並列に接続された第２バイパス経路３０ｂと、その第２バイパス経路３０ｂを開閉する第２バイパス弁３０ｃとを有する。これにより、第２バイパス弁３０ｃが閉鎖されると、冷媒が第２膨張弁３０ａを通過することになり、第２膨張装置３０は、冷媒を減圧する有効状態となる。一方、第２バイパス弁３０ｃが開放されると、冷媒は主に第２バイパス経路３０ｂを通過することになり、第２膨張装置３０は、冷媒を減圧しない無効状態となる。第２バイパス弁３０ｃは、例えば電磁開閉弁である。第２膨張弁３０ａ及び第２バイパス弁３０ｃは、制御装置１８に電気的に接続されており、第２膨張弁３０ａの開度及び第２バイパス弁３０ｃの開閉は制御装置１８によって制御される。第２膨張装置３０を通過した冷媒は、第３冷媒経路４６を通って蒸発装置３２に送られる。
【００２１】
蒸発装置３２は、第２膨張装置３０の下流側かつ圧縮装置２２の上流側に位置している。蒸発装置３２は、第２膨張装置３０を通過した冷媒と、冷房装置１６に供給される冷熱用熱媒との間で熱交換を行う蒸発手段の一例である。蒸発装置３２は、一又は複数の熱交換器を用いて構成することができる。蒸発装置３２において、冷媒は吸熱することによって蒸発（気化）する。蒸発装置３２には、冷熱用循環経路１６ａが接続されている。冷熱用循環経路１６ａは、蒸発装置３２と冷房装置１６との間で冷熱用熱媒（例えば冷水）を循環させる。冷熱用循環経路１６ａには、冷熱用循環ポンプ１６ａが設けられている。冷熱用循環ポンプ１６ａは、制御装置１８に電気的に接続されており、その動作は制御装置１８によって制御される。蒸発装置３２を通過した冷媒は、第４冷媒経路４８を通って圧縮装置２２に送られる。
【００２２】
ヒートポンプ２０は、各種のセンサを有している。例えば、第１温熱用循環経路１２ａには、第１温度センサ５２が設けられている。第１温度センサ５２は、凝縮装置２４の出口側に位置しており、給湯装置１２に供給される第１温熱用熱媒の温度を測定する。また、第２温熱用熱媒経路１４ａには、第２温度センサ５４が設けられている。第２温度センサ５４は、凝縮装置２４の出口側に位置しており、暖房装置１４に送られる供給される第２温熱用熱媒の温度を測定する。同様に、冷熱用熱媒経路１６ａには、冷房装置１６ａに供給される冷熱用熱媒の温度を測定する第３温度センサ５６が設けられている。これらに加えて、ここでは説明及び図示を省略するが、システム１０では、各冷媒経路４２〜４８、凝縮装置２４、空気熱交換装置２８、蒸発装置３２の状態をそれぞれ把握するために、複数の温度センサが各部に設けられている。各温度センサ５２、５４、５６等は、制御装置１８に電気的に接続されており、それらの出力信号は制御装置１８にそれぞれ入力される。
【００２３】
リモコン１９は、システム１０におけるユーザインターフェースである。リモコン１９は、ユーザからの各種の指示を受け付けるとともに、ユーザに対して各種の情報を表示することができる。リモコン１９の構成は特に限定されず、その少なくとも一部がスマートフォンやタブレットといった無線情報端末を用いて構成されてもよい。ユーザは、リモコン１９を用いて、給湯装置１２、暖房装置１４、冷房装置１６の運転及び停止や、温度設定などを行うことができる。
【００２４】
以上の構成により、ヒートポンプ２０は、温熱と冷熱との同時供給、温熱のみの単独供給、及び冷熱のみの単独供給を、自由に実施することができる。例えば、給湯装置１２と暖房装置１４の少なくとも一方が運転され、冷房装置１６が運転されない場合、ヒートポンプ２０は、温熱のみの単独供給を行う。この場合、図２中の態様１に示すように、制御装置１８は、第１膨張装置２６を有効状態とするとともに、第２膨張装置３０を無効状態とする。具体的には、第１バイパス弁２６ｃを閉鎖するとともに、第２バイパス弁３０ｃを開放する。その結果、図３に示すように冷媒は流れ（実線部分）、空気熱交換装置２８は冷凍サイクルにおける蒸発器として機能する。このとき、制御装置１８は、第１温度センサ５２（又は第２温度センサ５４）の検出温度に基づいて、圧縮装置２２の出力を増減調整することができる。
【００２５】
あるいは、給湯装置１２と暖房装置１４の両者が運転されず、冷房装置１６のみが運転される場合、ヒートポンプ２０は、冷熱のみの単独供給を行う。この場合、図２中の態様２に示すように、制御装置１８は、第１膨張装置２６を無効状態とするとともに、第２膨張装置３０を有効状態とする。具体的には、第１バイパス弁２６ｃを開放するとともに、第２バイパス弁３０ｃを閉鎖する。その結果、図４に示すように冷媒は流れ（実線部分）、空気熱交換装置２８は冷凍サイクルにおける凝縮器として機能する。このとき、制御装置１８は、第３温度センサ５６の検出温度に基づいて、圧縮装置２２の出力を増減調整することができる。
【００２６】
そして、給湯装置１２と暖房装置１４の少なくとも一方が運転され、かつ、冷房装置１６も運転される場合、ヒートポンプ２０は、温熱と冷熱の同時供給を行う。この場合、図２中の態様３ａに示すように、制御装置１８は、第１膨張装置２６と第２膨張装置３０の一方を無効状態とするとともに、その他方を有効状態とする。そして、凝縮装置２４で必要とされる冷媒の放熱量と、蒸発装置３２で必要とされる冷媒の吸熱量とが均衡するときは、空気熱交換装置２８の送風機２８ｂを停止させ、空気熱交換装置２８を実質的に無効化することもできる。ここで、制御装置１８は、凝縮装置２４で必要とされる冷媒の放熱量と、蒸発装置３２で必要とされる冷媒の吸熱量との大小関係を、図示しないその他の温度センサの検出温度から判断してもよいし、給湯装置１２、暖房装置１４及び冷房装置１６の運転状況（各装置の運転又は停止の組み合わせ）に基づいて判断してもよい。
【００２７】
但し、例えば夏季においては、温熱と冷熱の同時供給時に、凝縮装置２４で必要とされる冷媒の放熱量に対して、蒸発装置３２で必要とされる冷媒の吸熱量が過大となることがある。このような場合、図２中の態様３ｂに示すように、制御装置１８は、第１膨張装置２６を無効状態とするとともに、第２膨張装置３０を有効状態とする。これにより、図５に示すように冷媒は流れ、空気熱交換装置２８は凝縮器として機能して、凝縮装置２４において凝縮熱として放熱し切れない過剰な冷媒の熱を、空気熱交換装置２８において凝縮熱として大気へ放出することができる。逆に、例えば冬季においては、温熱と冷熱の同時供給時に、凝縮装置２４で必要とされる冷媒の放熱量に対して、蒸発装置３２で必要とされる冷媒の吸熱量が過小となることがある。このような場合、図２中の態様３ｃに示すように、制御装置１８は、第１膨張装置２６を有効状態とするとともに、第２膨張装置３０を無効状態とする。これにより、図６に示すように冷媒は流れ、空気熱交換装置２８は蒸発器として機能して、蒸発装置３２において蒸発熱として吸熱し切れずに不足する冷媒の熱を、空気熱交換装置２８において蒸発熱として大気から吸収することができる。
【００２８】
以上のように、本実施例におけるヒートポンプ２０は、空気熱交換装置２８の上流側及び下流側に、第１膨張装置２６と第２膨張装置３０とがそれぞれ配置されている。これにより、第１及び第２膨張装置２６、３０の一方を選択的に無効状態とすることで、空気熱交換装置２８を、冷凍サイクルにおける凝縮器としても蒸発器としても機能させることができる。従って、複数の空気熱交換装置２８を必ずしも必要とすることなく、温熱と冷熱との同時供給、温熱のみの単独供給、及び冷熱のみの単独供給を、自由に実施することができる。
【００２９】
以上、本発明の実施例について詳細に説明したが、これらは例示に過ぎず、特許請求の範囲を限定するものではない。特許請求の範囲に記載の技術には、以上に例示した具体例を様々に変形、変更したものが含まれる。
【００３０】
例えば、図７に示すように、ヒートポンプ１２０は、バイパス経路２６ｂ、３０ｂを有する第１及び第２膨張装置２６、３０に代えて、膨張弁２６ａ、３０ａの最大開度が十分に大きく、バイパス経路を有しない膨張装置１２６、１３０を用いることもできる。この場合、膨張装置１２６、１３０は、膨張弁２６ａ、３０ａの開度を最大にすることによって、膨張弁としての機能を無効化することができる。また、前述したように、ヒートポンプ１２０は、凝縮装置２４として、第１熱交換器２４ａと第２熱交換器２４ｂを含む複数の熱交換器を備えてもよい。ここで、第１熱交換器２４ａと第２熱交換器２４ｂは、冷媒の流れに対する上流／下流の位置関係を入れ替えてもよいし、互いに並列に接続されてもよい。同様に、蒸発装置３２は、冷媒の流れに対して直列又は並列に接続された複数の熱交換器を備えてもよい。
【００３１】
本明細書または図面に説明した技術要素は、単独であるいは各種の組合せによって技術的有用性を発揮するものであり、出願時請求項記載の組合せに限定されるものではない。また本明細書または図面に例示した技術は複数目的を同時に達成し得るものであり、そのうちの一つの目的を達成すること自体で技術的有用性を持つものである。
【符号の説明】
【００３２】
１０：熱供給システム
１２：給湯装置
１４：暖房装置
１６：冷房装置
１８：制御装置
１９：リモコン
２０、１２０：ヒートポンプ
２２：圧縮装置
２４：凝縮装置
２６、３０、１２６、１３０：膨張装置
２６ａ、３０ｂ：膨張弁
２６ｂ、３０ｂ：バイパス経路
２６ｃ、３０ｃ：バイパス弁
２８：空気熱交換装置
３２：蒸発装置
５２、５４、５６：温度センサ
【図１】
2015152183.tif 000003
【図２】
2015152183.tif 000004
【図３】
2015152183.tif 000005
【図４】
2015152183.tif 000006
【図５】
2015152183.tif 000007
【図６】
2015152183.tif 000008
【図７】
2015152183.tif 000009